(57)【要約】【課題】本発明は、化粧部材と背凭れ本体との係合状態を容易に解除することができ、必要に応じて化粧部材を適宜交換することのできる、椅子の背凭れ、およびそれを備えた椅子を提供する。【解決手段】本発明の椅子の背凭れは、背凭れ本体と、化粧部材と、少なくとも前記化粧部材の前記前面側に配置され、前記化粧部材と前記背凭れ本体とを接続する接続部材と、前記背凭れ本体の前記前面を構成する面材と、を備え、前記接続部材と前記背凭れ本体のうちのいずれか一方に設けられる係合部と、前記接続部材と前記背凭れ本体のうちのいずれか他方に設けられる被係合部と、を有し、前記接続部材は、前記係合部と前記被係合部とが互いに係合した状態で、前記面材の前記後面側の空間に露出する押圧部を有している。【選択図】図１
2020062194.tif 000002
【特許請求の範囲】
【請求項１】
着座者の背を支持する前面を有する背凭れ本体と、
前記背凭れ本体の後面側に配置され、前記背凭れ本体の前記後面に、前面を対向させた状態で取り付けられる化粧部材と、
少なくとも前記化粧部材の前記前面側に配置され、前記化粧部材と前記背凭れ本体とを接続する接続部材と、
前記背凭れ本体の前記前面を構成する面材と、を備え、
前記接続部材と前記背凭れ本体のうちのいずれか一方に設けられる係合部と、
前記接続部材と前記背凭れ本体のうちのいずれか他方に設けられる被係合部と、を有し、
前記接続部材は、前記係合部と前記被係合部とが互いに係合した状態で、前記面材の前記後面側の間の空間に露出する押圧部を有している、
椅子の背凭れ。
【請求項２】
前記接続部材は、前記化粧部材が取り外し可能に接合される接合部を有し、
前記接合部は、前記押圧部が前記背凭れ本体の前記前面側から前記背面側に向かって押圧されることで前記化粧部材に向かって凸状に弾性変形する、
請求項１に記載の椅子の背凭れ。
【請求項３】
前記接続部材は、平面視においてループ形状とされている、
請求項１または２に記載の椅子の背凭れ。
【請求項４】
前記背凭れ本体は、前記面材および前記面材が架設される外周枠部材を有する前記背受面構成部と、前記背受面構成部の後面を支持する背凭れ支持部材と、を備え、
前記背凭れ支持部材に前記被係合部が設けられている場合、
前記被係合部は、前記背凭れ支持部材のうち、前記面材の前記後面に対向する前面と、前記化粧部材に対向する後面と、に貫通するとともに、内側に前記接続部材を保持可能な貫通孔を少なくとも有している、
請求項１から３のいずれか一項に記載の椅子の背凭れ。
【請求項５】
前記背凭れ支持部材は、前記前面が前記面材の前記後面から離間する形状とされている、
請求項４に記載の椅子の背凭れ。
【請求項６】
前記貫通孔内に保持された前記押圧部の前面と、前記背凭れ支持部材の前記前面とが面一である、
請求項４または５に記載の椅子の背凭れ。
【請求項７】
前記面材がメッシュ部材からなる、
請求項１から６のいずれか一項に記載の椅子の背凭れ。
【請求項８】
請求項１から７のいずれか一項に記載の椅子の背凭れを備える、椅子。
【発明の詳細な説明】
【技術分野】
【０００１】
本発明は、椅子の背凭れ、およびそれを備える椅子に関するものである。
【背景技術】
【０００２】
従来、椅子の背凭れの背面側に、背凭れ本体の表面を覆う化粧部材を備えた構成が知られている。
このような椅子として、化粧部材（カバー）に形成された係合部（係止爪）が、背凭れ本体（背杆）の背面に形成された被係合部（係合孔）に係合することで、背凭れ本体に支持された構成が開示されている（例えば、特許文献１）。上記の構成を採用することによって、背凭れ本体に対する化粧部材の位置ずれや脱落が防止されている。
【先行技術文献】
【特許文献】
【０００３】
【特許文献１】特開２００２−１３６３８８号公報
【発明の概要】
【発明が解決しようとする課題】
【０００４】
しかしながら、特許文献１における係止爪と係合孔との係合は、係止爪を、所謂嵌め殺しの状態にするため、適宜係合を解除することが困難である。このため、必要に応じてカバーを交換することが難しい。
そこで、化粧部材（カバー）を背凭れ本体（背杆）に対して良好に取り付けることができるとともに、互いの係合状態を容易に解除することができる構成が望まれている。
【０００５】
本願発明は、上記の技術的課題に鑑みてなされたもので、化粧部材と背凭れ本体との係合状態を容易に解除することが可能で、必要に応じて化粧部材を適宜交換することのできる、椅子の背凭れ、およびそれを備えた椅子を提供することを目的とする。
【課題を解決するための手段】
【０００６】
本発明の一態様の椅子の背凭れは、着座者の背を支持する前面を有する背凭れ本体と、前記背凭れ本体の後面側に配置され、前記背凭れ本体の前記後面に、前面を対向させた状態で取り付けられる化粧部材と、少なくとも前記化粧部材の前記前面側に配置され、前記化粧部材と前記背凭れ本体とを接続する接続部材と、前記背凭れ本体の前記前面を構成する面材と、を備え、前記接続部材と前記背凭れ本体のうちのいずれか一方に設けられる係合部と、前記接続部材と前記背凭れ本体のうちのいずれか他方に設けられる被係合部と、を有し、前記接続部材は、前記係合部と前記被係合部とが互いに係合した状態で、前記面材の前記後面側の空間に露出する押圧部を有している。
【０００７】
この構成によれば、接続部材の押圧部が、背凭れの前面を構成する面材の後面側の空間に露出しているので、背凭れ本体の前面側から接続部材の押圧部を押圧することで係合部と被係合部との係合状態を解除することができ、必要に応じて背凭れ本体から化粧部材を取り外すことが可能になる。また、接続部材の押圧部は面材によって隠されているため、背凭れ本体の前面側から押圧部への頻繁なアクセスを防ぐことができ、係合部と被係合部との係合解除が妄りに行われるのを防ぐことができる。
【０００８】
本発明の一態様の椅子の背凭れは、前記接続部材は、前記化粧部材の前記前面が接合される接合部を有し、前記接合部は、前記押圧部が前記背凭れ本体の前記前面側から前記背面に向かって押圧されることで、前記化粧部材に向かって凸状に弾性変形する、構成としてもよい。
【０００９】
この構成によれば、接合部が凸状に弾性変形することで、化粧部材を背凭れ本体から離れる方向へ押し出すことができる。これにより、化粧部材と背凭れ本体との間の隙間が大きくなり、背凭れ本体から化粧部材を取り外しやすくなる。
【００１０】
本発明の一態様の椅子の背凭れにおいて、前記接続部材は、平面視においてループ形状とされている構成としてもよい。
【００１１】
この構成によれば、前面側からの押圧によって接続部材が弾性変形し易い。したがって、より容易に接合部が凸状に弾性変形して化粧部材を背凭れ本体から離れる方向へ押し出すことができ、化粧部材を簡単に取り外すことができる。
【００１２】
本発明の一態様の椅子の背凭れにおいて、前記背凭れ本体は、前記面材および前記面材が架設される外周枠部材を有する前記背受面構成部と、前記背受面構成部の後面を支持する背凭れ支持部材と、を備え、前記背凭れ支持部材に前記被係合部が設けられている場合、前記被係合部は、前記背凭れ支持部材のうち、前記面材の前記後面に対向する前面と、前記化粧部材に対向する後面と、に貫通するとともに、内側に前記接続部材を保持可能な貫通孔を少なくとも有している、構成としてもよい。
【００１３】
この構成によれば、被係合孔内に前記接続部材が保持されることで押圧部以外の部分を背凭れ支持部材内に隠すことができ、背凭れの外観体裁を良好にすることができる。
【００１４】
本発明の一態様の椅子の背凭れにおいて、前記背凭れ支持部材は、前記前面が前記面材の前記後面から離間する形状とされている構成としてもよい。
【００１５】
この構成によれば、背受面構成部の面材の後面と、背凭れ支持部材の前面との間に手を挿し入れて、押圧部を押圧することができる。これにより、化粧部材を簡単に背凭れ本体（背凭れ支持部材）から取り外すことができる。
【００１６】
本発明の一態様の椅子の背凭れにおいて、前記貫通孔内に保持された前記押圧部の前面と、前記背凭れ支持部材の前記前面とが面一である構成としてもよい。
【００１７】
この構成によれば、接続部材が被係合孔内に入り込んでいないので、背凭れ支持部材の前面から押圧部の前面を押圧しやすい。
【００１８】
本発明の一態様の椅子の背凭れにおいて、前記面材がメッシュ部材からなる構成としてもよい。
【００１９】
この構成によれば、メッシュ部材からなる面材により、押圧部の位置を隠しつつ、よく見ればその位置を確認しやすい。これにより、通常の使用時には背凭れの外観体裁を損なうことがなく、化粧部材を取り外す際には押圧部の位置を確認しやすいため作業を行いやすい。
【００２０】
本発明の一態様における椅子は、上記の椅子の背凭れを備える。
【００２１】
この構成によれば、必要に応じて化粧部材を交換することのできる背凭れを備えているため、用途に応じて椅子の外観デザインの変更を容易に行える。
【発明の効果】
【００２２】
本発明によれば、化粧部材と背凭れ本体との係合状態を容易に解除することができ、必要に応じて化粧部材を適宜交換することのできる、椅子の背凭れ、およびそれを備えた椅子を提供することを目的とする。
【図面の簡単な説明】
【００２３】
【図１】図１は、実施形態の一態様における椅子の構成を示す正面図である。
【図２】図２は、実施形態の一態様における椅子の構成を示す背面図である。
【図３】図３は、実施形態の一態様における椅子の背凭れの構成を示す側面図である。
【図４】図４は、実施形態の一態様における背凭れ支持部材の周囲の構成を部分的に示す斜視図である。
【図５】図５は、実施形態の一態様における背凭れ支持部材の構成を部分的に示す斜視図である。
【図６】図６は、実施形態の一態様における化粧部材が接続部材を介して背凭れ支持部材に取り付けられた状態を示す斜視図である。
【図７】図７は、実施形態の一態様における接続部材の構成を示す斜視図である。
【図８】図８は、実施形態の一態様における接続部材の構成を示す側面図である。
【図９】図９は、変形例としての接続部材の構成を示す斜視図である。
【図１０】図１０は、変形例としての接続部材の動作を示す図である。
【発明を実施するための形態】
【００２４】
以下、添付図面を参照して、本発明における背凭れおよびそれを備えた椅子を実施するための形態を説明する。しかし、本発明はこの実施形態のみに限定されるものではない。なお、以下の各図面においては、各構成要素を見やすくするため、構成要素によって寸法の縮尺を異ならせて示すことがある。
【００２５】
以下の説明において、椅子の背凭れに背中を向けて正規姿勢で着座した人の正面を向く向きを「前」と呼び、それと逆側の向きを「後」と呼ぶものとする。また、椅子に正規姿勢で着座した人の上方を向く向きを「上」、それと逆側の向きを「下」と呼び、椅子に正規姿勢で着座した人の左方を「左」、右方を「右」と呼ぶこととする。また、椅子の左右方向を「幅方向」と呼ぶ。
【００２６】
また、図面においては、適宜３次元直交座標系としてＸＹＺ座標系を示す。ＸＹＺ座標系において、「Ｘ方向」は、図１に示す椅子の「幅方向」と平行な方向とする。「Ｚ方向」は、Ｘ方向と直交する方向であって図１の「上下方向」とする。「Ｙ方向」は、Ｘ方向とＺ方向との両方と直交する「前後方向」とする。
【００２７】
図１は、実施形態の一態様における椅子の構成を示す正面図である。図２は、実施形態の一態様における椅子の構成を示す背面図である。図３は、実施形態の一態様における椅子の背凭れの構成を示す側面図である。図４は、実施形態の一態様における背凭れ支持部材の周囲の構成を部分的に示す斜視図である。図５は、実施形態の一態様における背凭れ支持部材の構成を部分的に示す斜視図である。図６は、実施形態の一態様における化粧部材が接続部材を介して背凭れ支持部材に取り付けられた状態を示す斜視図である。図７は、実施形態の一態様における接続部材の構成を示す斜視図である。図８は、実施形態の一態様における接続部材の構成を示す側面図である。図９は、変形例としての接続部材の構成を示す斜視図である。図１０は、変形例としての接続部材の動作を示す図である。
【００２８】
図１および図２に示すように、本実施形態の椅子１は、床面上に載置される脚部２と、脚部２の上端に設置されるボックス状の支基３と、着座者が着座する座体４と、支基３の上面に取り付けられ座体４を支持する座受部材５と、支基３から後部上方側に延出して座体４に着座した着座者の背中を支持する背凭れ６と、を備えている。
【００２９】
脚部２は、キャスタ７ａ付きの多岐脚７と、多岐脚７の中央部より起立し、昇降機構であるガススプリングを内蔵する脚柱８と、を備えている。
【００３０】
支基３は、脚柱８の上端部に取り付けられている。支基３には、脚柱８の昇降調整機構と背凭れ６の傾動調整機構が内蔵されている。
【００３１】
座体４は、図１に示すように、骨格部を成す座体外周枠本体部１３と、座体外周枠本体部１３に張設された座体用面材１４と、を備えている。
【００３２】
座体外周枠本体部１３は、例えば合成樹脂によって形成され、上面視では四隅が丸みを帯びた略長方形状とされている。座体外周枠本体部１３の外周縁部には、座体外周枠本体部１３の内方に向かって凹む溝１３ｍが周方向に連続して形成されている。
【００３３】
座体用面材１４は、多数の孔が形成されたメッシュ部材からなり、外周端部に縁材（不図示）が設けられている。そして、座体用面材１４は、その外周端部が、座体外周枠本体部１３に形成された溝１３ｍに巻き込まれ、溝１３ｍ内に挿入される縁材によって座体外周枠本体部１３に固定されている。
【００３４】
背凭れ６は、座体４に着座した着座者の背中からの荷重を支持する。背凭れ６は、その一部が支基３内の傾動調整機構に連結されている。また、支基３には、傾動調整機構を操作するための操作ノブ１２が設けられており、この操作ノブ１２を着座者が操作することで、背凭れ６を前後方向（Ｙ方向）に傾動させるときの反力を調整することができる。
【００３５】
以下、本実施形態における背凭れ６の具体的な構成について説明する。
背凭れ６は、図３および図５に示すように、背凭れ本体２０および化粧部材２３と、背凭れ支持部材２２、取付部材２４、および接続部材３０を備えている。
【００３６】
［背凭れ本体］
背凭れ本体２０は、背受面構成部２１と背凭れ支持部材２２とを備えている。
【００３７】
（背受面構成部２１）
背受面構成部２１は、図１および図２に示すように、背凭れ外周枠部材（外周枠部材）２８と、背凭れ外周枠部材２８に張設された背凭れ用面材（面材）２９と、を有している。
【００３８】
背凭れ外周枠部材２８は、幅方向（Ｘ方向）に離間した一対の縦杆２８ａ，２８ａと、上杆２８ｂと、下杆２８ｃと、を備えている。背凭れ外周枠部材２８は、これら縦杆２８ａ，２８ａ、上杆２８ｂ、下杆２８ｃにより、図１および図２に示したような環状の枠形状とされている。背凭れ外周枠部材２８は、例えば、樹脂、アルミ合金等により作製される。背凭れ外周枠部材２８の外周縁部には、背凭れ外周枠部材２８の内方に向かって凹む溝２８ｍ（図３）が周方向に連続して形成されている。
【００３９】
背凭れ用面材２９は、図１および図２に示すように、多数の孔が形成されたメッシュ状であり、外周端部（不図示）に縁材（不図示）が設けられている。そして、背凭れ用面材２９は、その外周端部（不図示）が、図３に示す背凭れ外周枠部材２８に形成された溝２８ｍに巻き込まれ、溝２８ｍ内に挿入される縁材（不図示）によって背凭れ外周枠部材２８に固定されている。座体４に着座した着座者の背中は、背凭れ本体２０の前面２０ａ（図１）を構成する背凭れ用面材２９に接触する。背凭れ外周枠部材２８に布状の背凭れ用面材２９を帳設することにより、着座者の背中を適度な弾力で支持することができる。
【００４０】
（背受面構成部）
図３および図４に示すように、背受面構成部２１の後面２１ｂ側には背凭れ支持部材２２が配置されている。背凭れ支持部材２２は、上述した背受面構成部２１を支持する。背受面構成部２１は、複数の締結具を介して背凭れ支持部材２２に固定されている。締結具は、例えば、留めネジとこれに螺合するナットとにより構成され、背凭れ支持部材２２と背凭れ外周枠部材２８とを締結する。留めネジは、図４に示した背凭れ外周枠部材２８の縦杆２８ａに形成された複数の固定孔２８ｇと、図５に示した背凭れ支持部材２２に形成された穴部２２ｇとに挿入される。なお、背受面構成部２１と背凭れ支持部材２２の取付け手段は、上述した締結具に限定されるものではない。背凭れ外周枠部材２８には、図４に示すように、固定孔２８ｇを隠すようにしてカバー部材１５が設けられている。
【００４１】
また、背凭れ支持部材２２は、座体４も支持する。背凭れ支持部材２２と座体４との取付け手段についての具体的な説明は省略するが、例えば、上述したような締結具を採用してもよい。
【００４２】
背凭れ支持部材２２は、図２に示すように、背凭れ外周枠部材２８の外形の一部に倣う形状とされている。背凭れ支持部材２２は、図２および図３に示すように、一対の側部２２Ａと、第１連結部２２Ｂと、第２連結部２２Ｃと、一対の延出部２２Ｄと、を有している。なお、図３においては、一方の側部２２Ａ、延出部２２Ｄの図示を省略している。
【００４３】
図２に示す背凭れ支持部材２２のうち、幅方向（Ｘ方向）に間隔をおいて存在する一対の側部２２Ａ，２２Ａが、背凭れ外周枠部材２８の縦杆２８ａ、２８ａにそれぞれ対向する。背凭れ支持部材２２は、上下方向（Ｚ方向）に延在する一対の側部２２Ａ，２２Ａと、これら側部２２Ａ，２２Ａの上端側を連結する第１連結部２２Ｂ（図３）と、下端側を連結する第２連結部２２Ｃ（図２および図３）とによって、その一部が、図２に示すように環状に形成されている。背凭れ支持部材２２の開口２２ｅからは、背受面構成部２１の背凭れ用面材２９が露出する。
【００４４】
また、背凭れ支持部材２２は、図３および図４に示すように、一対の側部２２Ａがその延在方向の所定の位置において屈曲されており、上記第２連結部２２Ｃと一対の延出部２２Ｄとが、図１および図２に示した座体４の下面側と対向する。
【００４５】
背凭れ支持部材２２には、図４および図５に示すように、後述する接続部材３０を係合した状態で保持する被係合孔（貫通孔）２７が形成されている。被係合孔２７は、背凭れ支持部材２２の第１連結部２２Ｂの延在方向の略中央に位置し、前面２２ａから後面２２ｂにかけて厚さ方向に貫通する孔である。被係合孔２７の内側には、図６に示すように、背凭れ支持部材２２の幅方向（Ｘ方向）の内側に向かって突出する一対の被係合部２７Ａ，２７Ａが設けられている。
【００４６】
一対の被係合部２７Ａ，２７Ａは、被係合孔２７内に挿入された接続部材３０の一部が係合する部分である。被係合部２７Ａは、幅方向（Ｘ方向）の厚さよりも、接続部材３０との係合方向（Ｙ方向）の厚さを大として、その剛性が高められている。
【００４７】
また、被係合部２７Ａは、背凭れ支持部材２２の前面２２ａ側に向かう被係合面２７Ｖを有している。被係合面２７Ｖは、前面２２ａに対して斜めに傾斜しており、幅方向（Ｘ方向）において被係合部２７Ａの基端側より先端側の方が太くなっている。
【００４８】
（接続部材）
接続部材３０は、図６に示すように、背凭れ支持部材２２の後面２２ｂ側から被係合孔２７内に挿入されて保持される。接続部材３０は、図７に示すように、互いに離間した一対の側部３１，３１と、側部３１，３１の一端側どうしを接続する押圧部３２と、側部３１，３１の他端側どうしを接続する接合部３３と、押圧部３２の延在方向両側に設けられた一対の係合部３４，３４と、を有している。接続部材３０は、一対の側部３１，３１と押圧部３２と接合部３３とによって形成される開口３５を有している。本実施形態の接続部材３０は、Ｚ方向からの平面視において矩形のループ形状をなしており、弾性変形が可能である。
【００４９】
一対の係合部３４，３４は、背凭れ支持部材２２の被係合部２７Ａ（図６）に係合する部分である。係合部３４，３４は、図７に示すように、側部３１，３１よりも幅方向（Ｘ方向）の外側に位置するとともに互いに相反する方向に突出し、幅方向（Ｘ方向）の厚さよりも背凭れ支持部材２２との係合方向（Ｙ方向）の厚さを大として、係合方向（Ｙ方向）における剛性が高められている。
【００５０】
係合部３４は、接合部３３の内面３３ａに対向する係合面３４Ｖを有している。係合面３４Ｖは、図６に示すように、接続部材３０が被係合孔２７内に挿入された状態で、背凭れ６の前後方向（Ｙ方向）で被係合部２７Ａの被係合面２７Ｖに対向し、被係合面２７Ｖと接触して係合する。これにより、背凭れ支持部材２２に対する接続部材３０の挿入方向（＋Ｙ方向）とは逆の離脱方向（−Ｙ方向）への移動が規制されている。
【００５１】
本実施形態において、接続部材３０の係合面３４Ｖおよび背凭れ支持部材２２の被係合面２７Ｖは、互いの係合方向（Ｙ方向）および上下方向（Ｚ方向）に対してそれぞれ傾斜した状態で密接に接して係合している。
【００５２】
具体的に、接続部材３０の係合面３４Ｖは、図６および図７に示すようにＺ方向からの平面視において側部３１側に向かって傾いており、これとは逆の傾斜をなす背凭れ支持部材２２の被係合面２７Ｖと面接触している。
これにより、接続部材３０の係合面３４Ｖが、背凭れ支持部材２２の被係合面２７Ｖに対して引っかかるように係合することとなり、接続部材３０の離脱方向（−Ｙ方向）への移動がより規制されている。
【００５３】
また、接続部材３０の係合面３４Ｖは、図８に示すように＋Ｘ方向からの側面視において接続部材３０の下面３０ｄ側に向かってさらに傾いている。背凭れ支持部材２２の被係合面２７Ｖもさらに上方に向かって傾いており、これらが互いに係合することで、幅方向（Ｘ方向）および上下方向（Ｚ方向）への接続部材３０のがたつきが規制されている。
【００５４】
接続部材３０の押圧部３２は、図３および図５に示すように、接続部材３０が背凭れ支持部材２２の被係合孔２７に係合保持され状態で、背凭れ支持部材２２の前面２２ａと背凭れ用面材２９の後面２９ｂとの間の空間Ｋに露出している。図４および図６に示すように、押圧部３２の前面３２ａは、背凭れ支持部材２２の前面２２ａと面一になることが好ましい。接続部材３０の前面３２ａが背凭れ支持部材２２の前面２２ａよりも奥（後方：−Ｙ方向）側へ入り込んでいないので、背凭れ支持部材２２の前面２２ａ側から押圧部３２の前面３２ａを押圧しやすい。
【００５５】
また、接続部材３０と被係合孔２７との係合方向（Ｙ方向）において、押圧部３２の厚さＴは、接続部材３０の他の部位の厚さよりも薄い。つまり、押圧部３２は、接続部材３０のうち最も薄い厚さで形成されており、係合方向（Ｙ方向）へ弾性変形し易い厚さとなっている。
【００５６】
接合部３３は、接続部材３０が背凭れ支持部材２２の被係合孔２７に係合保持された状態で、背凭れ支持部材２２の後面２２ｂに露出している。接合部３３の後面３３ｂには、化粧部材２３を接続するための接合部材３６が設けられている。接合部材３６としては、両面接着テープあるいは面ファスナーなどが挙げられる。
【００５７】
接合部３３の後面３３ｂは、その面積が広ければ接合部材３６を設ける面積が増すため、化粧部材２３との接合力を確保するうえで有利である。また、接合部３３の後面３３ｂは、化粧部材２３の連結部２３Ｂの湾曲形状に合わせた湾曲面であることが好ましい。これにより、接続部材３０の後面３３ｂと化粧部材２３の前面２３ａとが互いに面接触し、隙間なく接合されることで接合力が高められる。
【００５８】
接続部材３０は、化粧部材２３が背凭れ支持部材２２に取り付けられる前に被係合孔２７内に挿入されていることが好ましい。
【００５９】
（取付部材）
本実施形態では、背凭れ支持部材２２の後面２２ｂと、化粧部材２３の前面２３ａ（図４）との間に、図５に示した取付部材２４が２つ配置されている。取付部材２４は、化粧部材２３と背凭れ支持部材２２との間のうち、化粧部材２３の側部２３Ａ，２３Ａおよび背凭れ支持部材２２の側部２２Ａ，２２Ａとそれぞれ対向する位置に配置されている。
【００６０】
取付部材２４は、図５に示すように、矩形状の平面部２４Ａと、一対の第１の係合凸部（係合部）１６Ａ，１６Ａと、一対の第２の係合凸部（係合部）１６Ｂ，１６Ｂとを有している。
【００６１】
取付部材２４は、図５に示すように、背凭れ支持部材２２の後面２２ｂに、前面２４ｃ（図６）を対向させた状態で取り付けられている。図５に示すように、背凭れ支持部材２２には、上述した取付部材２４の第１の係合凸部１６Ａ，１６Ａおよび第２の係合凸部１６Ｂ，１６Ｂに対応する第１の係合凹部２２Ｊ，２２Ｊ（被係合部）および第２の係合凹部２２Ｋ，２２Ｋ（被係合部）が形成されており、取付部材２４のうち、第１の係合凸部１６Ａ，１６Ａが、背凭れ支持部材２２の第１の係合凹部２２Ｊ，２２Ｊに挿入されて係合し、第２の係合凸部１６Ｂ，１６Ｂが、背凭れ支持部材２２の第２の係合凹部２２Ｋ，２２Ｋに挿入されて係合している。
【００６２】
（化粧部材）
化粧部材２３は、図３および図４に示すように、背凭れ本体２０の後面２０ｂ（図２）側に配置され、後面２０ｂに前面２３ａを対向させた状態で背凭れ本体２０に設けられている。具体的に、化粧部材２３は、背凭れ支持部材２２に対してその後面２２ｂ（図５）の一部を覆うようにして取り付けられている。
【００６３】
化粧部材２３は、図２に示すように、一対の側部２３Ａ，２３Ａと、連結部２３Ｂと、を有している。幅方向（Ｘ方向）に離間した一対の側部２３Ａ，２３Ａは、それぞれ上下方向（Ｚ方向）に延在し、上端部どうしが幅方向（Ｘ方向）に延在する連結部２３Ｂによって連結されている。化粧部材２３は、これら一対の側部２３Ａ、２３Ａと連結部２３Ｂとによって、下方に開放された形状を有する。化粧部材２３の一対の側部２３Ａ，２３Ａおよび連結部２３Ｂは、背凭れ支持部材２２の一対の側部２２Ａ，２２Ａおよび第１連結部２２Ｂにそれぞれ対向する。
【００６４】
化粧部材２３は、背凭れ支持部材２２の後面２２ｂ（図５）のうち、少なくとも肉抜き部２２ｆが形成された領域を隠すように取り付けられるため、化粧部材２３は、椅子１を背面側から見たときに、化粧部材２３から、背凭れ支持部材２２の上記肉抜き部２２ｆがはみ出して見えることのない大きさを有していることが好ましい。
【００６５】
化粧部材２３は、図３および図４に示すように、各側部２３Ａ（２３Ａ）の下端側が、背凭れ支持部材２２の側部２２Ａの屈曲形状に倣ってそれぞれ湾曲している。このため、化粧部材２３を背凭れ支持部材２２に取り付けた状態において、化粧部材２３の一対の側部２３Ａ，２３Ａが背凭れ支持部材２２の側部２２Ａ，２２Ａの下側に入り込む。これにより、化粧部材２３によって、背凭れ支持部材２２の後面２２ｂを全体的にカバーすることができるため、椅子１の背面側の見栄えをよくすることができる。
【００６６】
このような化粧部材２３は、図２および図５に示すように、背凭れ支持部材２２の幅方向両側に設けられた一対の取付部材２４，２４を介して背凭れ支持部材２２に取り付けられている。化粧部材２３は、一対の取付部材２４，２４の各後面２４ｄ，２４ｄ側のそれぞれに、前面２３ａ（図４）を対向させた状態で、両面接着テープあるいは面ファスナーなどの接合手段２５を用いて各取付部材２４に取り付けられている。このようにして、化粧部材２３の幅方向両側の側部２３Ａ，２３Ａが、取付部材２４，２４を介して背凭れ支持部材２２に接続されている。
【００６７】
また、本実施形態の化粧部材２３は、幅方向（Ｘ方向）に延在する連結部２３Ｂの中央部分が、接続部材３０を介して背凭れ支持部材２２の第１連結部２２Ｂに接続されている。化粧部材２３は、接合部３３の後面３３ｂに設けられた接合部材３６（図５）を介して、接続部材３０に貼り合わされている。このようにして、化粧部材２３の幅方向中央部分が接続部材３０を介して背凭れ支持部材２２に接続されている。
【００６８】
本実施形態の化粧部材２３は、背凭れ支持部材２２に取り付けられた取付部材２４および接続部材３０に対して、取り外し可能に取り付けられている。つまり、化粧部材２３は、取付部材２４および接続部材３０を介して背凭れ支持部材２２に取り外し可能に取り付けられている。このように、背凭れ支持部材２２に対する化粧部材２３の取り外しが自在な構成とすることで、化粧部材２３の付け替えが適宜可能になっている。
【００６９】
背凭れ支持部材２２から化粧部材２３を取り外す際は、背凭れ支持部材２２に係合している接続部材３０を、背凭れ支持部材２２から押し出すように押圧する。具体的には、接続部材３０のうち、背凭れ支持部材２２の前面２２ａに露出した押圧部３２の中央付近を、背凭れ６の後方へ向かって、つまり接続部材３０の離脱方向（−Ｙ方向）へ向けて押圧する。
【００７０】
これにより、押圧部３２が後方（−Ｙ方向）へ凸状に弾性変形し、この弾性変形に伴って幅方向両側の係合部３４，３４が前方（＋Ｙ方向）へ開いて、係合部３４と被係合部２７Ａとの係合状態が解除され、離脱方向（−Ｙ方向）への接続部材３０の移動が可能になる。また、押圧部３２の変形に伴って接合部３３が背凭れ６の後方へ向かって凸状に弾性変形することで、接合部３３の後面３３ｂに接続されていた化粧部材２３が、背凭れ支持部材２２から離れる方向（−Ｙ方向）へ押し出される。
【００７１】
これにより、背凭れ支持部材２２の後面２２ｂと化粧部材２３の前面２３ａとの間の隙間１０（図６）が広がり、この広がった隙間に作業者が指や工具を入れるなどして、背凭れ支持部材２２（一対の取付部材２４，２４）から化粧部材２３を取り外す。この際、化粧部材２３と一緒に接続部材３０も背凭れ支持部材２２から取り外してもいいし、接続部材３０を背凭れ支持部材２２内に保持させたまま、化粧部材２３だけを背凭れ支持部材２２から取り外してもよい。
【００７２】
このように、化粧部材２３を取り換えることにより、椅子１の外観を簡単に変えることができる。椅子１の外観は、化粧部材２３のデザインによって印象が変わってくるため、必要に応じてデザインの異なる化粧部材２３に付け替えることによって、さまざまな用途に応じて最適なデザインを選択することができる。このように、外観デザインのアレンジが可能でデザイン性の高い背凭れ６を備えることにより、着座者の要望に応じて幅広い用途に適した椅子１を提供することができる。
【００７３】
本実施形態では、化粧部材２３が一対の取付部材２４，２４を介して背凭れ支持部材２２に取り付けられた状態において、化粧部材２３の中央部分が接続部材３０を介して背凭れ支持部材２２と接続されている。このため、接続部材３０によって化粧部材２３の中央部分の浮きを防ぐことが可能である。
【００７４】
また、本実施形態では、接続部材３０の押圧部３２が、背凭れ支持部材２２の前面２２ａと背凭れ用面材２９との間の空間に露出しているため、化粧部材２３を取り外す際には、背凭れ支持部材２２の前面２２ａ側から接続部材３０の押圧部３２を押圧して接合部３３を弾性変形させることによって、化粧部材２３を背凭れ支持部材２２から容易に取り外すことができる。本実施形態における接続部材３０は、平面視においてループ形状をなしているため、押圧方向へ弾性変形し易い。
【００７５】
上述したように、接続部材３０の接合部３３を凸状に弾性変形させることで、当該接合部３３に接合された化粧部材２３を背凭れ支持部材２２から離れる方向へ押し出すことができ、化粧部材２３と背凭れ支持部材２２との間の隙間１０を広げることができる。これにより、背凭れ支持部材２２からの化粧部材２３の取り外しを容易に行うことが可能となる。
【００７６】
また、押圧部３２をさらに押圧することで、背凭れ支持部材２２の被係合部２７Ａと接続部材３０の係合部３４との係合状態が完全に解除されて、接続部材３０の後方（−Ｙ方向）への移動が可能になり、化粧部材２３とともに、接続部材３０を取り外すことができる。化粧部材２３の取り換えとともに、接続部材３０と化粧部材２３とを接合させる接合部材３６を新しいものに取り換えることができる。これにより、化粧部材２３を取り換えた後も、接合部材３６の接合力を維持することができる。
【００７７】
また、接続部材３０は、背凭れ支持部材２２に取り付けられた状態で、係合面３４Ｖ，２７Ｖどうしの係合により後方（離脱方向：−Ｙ方向）への移動が規制されているが、前方（＋Ｙ方向）へはわずかに移動可能である。接続部材３０の前方への大きな移動は、接合部３３の後面３３ｂに接合された化粧部材２３が、背凭れ支持部材２２の後面２２ｂに当接することによって規制される。このように、接続部材３０に対する、化粧部材２３の前方への移動規制を緩くしておくことにより、接続部材３０における寸法誤差が緩和され、背凭れ支持部材２２に対する化粧部材２３の取り付け間隔を取付部材２４，２４において規制することが可能になる。
【００７８】
また、背凭れ用面材２９がメッシュ部材からなるため、接続部材３０の露出部分（押圧部３２）を隠しつつ、よく見ればその露出部分を確認することができる。そのため、作業者が化粧部材２３を取り外す際に接続部材３０の位置を確認しやすく、作業しやすい。
【００７９】
また、通常の椅子１の使用時には、接続部材３０の露出部分を背凭れ用面材２９によって隠すことができるため、押圧部３２への頻繁なアクセスを防ぐことができ、係合部３４と被係合部２７Ａとの係合状態が妄りに行われるのを防ぐことができる。
【００８０】
また、押圧部３２を背凭れ用面材２９によって隠す構成とすることで、押圧部３２が外部から見えにくくなって椅子１の外観が損なわれるのを防ぐことができる。
【００８１】
また、背凭れ支持部材２２に設けた被係合孔２７内に接続部材３０を挿入して係合状態で保持することで、押圧部３２および接合部３３以外の部分を背凭れ支持部材２２に隠すことができ、背凭れ支持部材２２の外観体裁を良好にすることができる。
【００８２】
本実施形態の背凭れ支持部材２２は、第１連結部２２Ｂが後方（−Ｙ方向）へ凸状に湾曲しており、第１連結部２２Ｂの前面２２ａが背凭れ用面材２９から離間する形状とされている。そのため、背凭れ支持部材２２の前面２２ａと背凭れ用面材２９との間の空間に手を挿し入れて、接続部材３０の押圧部３２を押圧することができる。これにより、背凭れ６を分解することなく、化粧部材２３のみを容易に取り外すことができる。
【００８３】
また、着座者が椅子１に着座した際に、背凭れ用面材２９を介して背凭れ支持部材２２や前面２２ａに露出する接続部材３０に着座者の背中が当たってしまうようなことがなく、座り心地のよい椅子１となる。
【００８４】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。
例えば、背凭れ用面材２９は、上述したメッシュ状の部材に限られず、例えば表皮材により被覆されたクッション等でもよい。
【００８５】
例えば、接続部材３０の形状は、上述した形状に限らない。また、接続部材３０および背凭れ支持部材２２のいずれか一方に係合部を有するとともに他方に被係合部を有した構成であれば、これらの係合構造も上述した構造に限られず、一方を凸部、他方を孔部としてもよい。
【００８６】
接続部材３０の他の形状としては、例えば、図９に示すように、押圧部３２の中央にスリット３７が設けられていてもよい。スリット３７は、押圧部３２の上下方向（Ｚ方向）および厚さ方向（Ｙ方向）に貫通している。幅方向（Ｘ方向）におけるスリット３７の幅Ｗは、図１０に示すように、押圧部３２を押圧した際に、作業者の指がスリット３７をすり抜けて開口３５の内側にまで入り込まない幅であるとともに、押圧をやめたときにスリット３７に指の一部が挟まれることのない幅であることが好ましい。
この構成によれば、押圧部３２が押圧方向へ変形し易くなり、背凭れ支持部材２２に対する係合をより簡単に解除することができる。
【符号の説明】
【００８７】
１…椅子、１０…隙間、１６Ａ…第１の係合凸部（係合部）、１６Ｂ…第２の係合凸部（係合部）、１８…補助係止手段、２０…背凭れ本体、２０ａ…背凭れ本体の前面、２０ｂ…背凭れ本体の後面、２１…背受面構成部、２１ｂ…背受面構成部の後面、２２…背凭れ支持部材、２２ａ…背凭れ支持部材の前面、２２ｂ…背凭れ支持部材の後面、２２Ａ…背凭れ支持部材の側部、２２Ｊ…第１の係合凹部（第１の被係合部）、２２Ｋ…第２の係合凹部（第２の被係合部）、２３…化粧部材、２３Ａ…側部、２３Ｂ…連結部、２３ａ…化粧部材の前面、２３ｂ…化粧部材の後面、２３ｄ…外周縁部、２４…取付部材、２４ｄ…取付部材の後面、２６…隙間形成部材、２７…被係合孔（貫通孔）、２７Ａ…被係合部、２８…背凭れ外周枠部材（外周枠部材）、２９…背凭れ用面材（面材）、２９ｂ…背凭れ用面材の後面、３０…接続部材、３２…押圧部、３２ａ…押圧部の前面、３３…接合部、３３ｂ…後面、３４…係合部、Ｋ…空間、Ｔ…厚さ
【図１】
2020062194.tif 000003
【図２】
2020062194.tif 000004
【図３】
2020062194.tif 000005
【図４】
2020062194.tif 000006
【図５】
2020062194.tif 000007
【図６】
2020062194.tif 000008
【図７】
2020062194.tif 000009
【図８】
2020062194.tif 000010
【図９】
2020062194.tif 000011
【図１０】
2020062194.tif 000012